(57)【要約】【課題】キッチンの構造に関し、詳しくはダイニング側のスペースを有効活用しうるキッチンの構造を提供する。【解決手段】キッチン２とダイニング３との間に設けられた対面型のキッチンユニット１１と、該キッチンユニット１１のダイニング３側を向く背壁部２１側に設けられ、かつ、該背壁部２１に沿って折り畳まれた収容状態とダイニング３側に張り出した水平状態との間を傾動可能な天板２６を有する折畳みテーブル１２とを含むことを特徴とするキッチンの構造である。【選択図】図２
2010131208.tif 000002
【特許請求の範囲】
【請求項１】
キッチンとダイニングとの間に設けられた対面型のキッチンユニットと、該キッチンユニットのダイニング側を向く背壁部側に設けられ、かつ、該背壁部に沿って折り畳まれた収容状態とダイニング側に張り出した水平状態との間を傾動可能な天板を有する折畳みテーブルとを含むことを特徴とするキッチンの構造。
【請求項２】
前記天板は、前記背壁部に沿ってのびる水平な第１の支持軸に回動自在に枢着されるとともに、
前記天板には、該天板を前記水平状態に支える折り畳み可能な脚部材が設けられる請求項１記載のキッチンの構造。
【請求項３】
前記第１の支持軸は、前記背壁部の幅方向の一側縁の近傍で垂直にのびる第２の支持軸に回動可能に設けられることにより、前記天板は、水平面内で向き変え可能である請求項２記載のキッチンの構造。
【請求項４】
前記キッチンユニットは、前記背壁部と、この背壁部とで出隅コーナ部を形成する側壁部とを有し、
前記第２の支持軸がこの出隅コーナ部の近傍に立設されることにより、前記天板は前記側壁部から側方に張り出す位置へと向き変え可能に設けられる請求項３記載のキッチンの構造。
【請求項５】
前記第１の支持軸は、高さ方向に調節可能に設けられるとともに、
前記脚部材は、その長さが調節可能に設けられる請求項２ないし４のいずれかに記載のキッチンの構造。
【請求項６】
前記脚部材には、床面を転動する車輪が形成される請求項２ないし５の何れかに記載のキッチンの構造。
【請求項７】
前記キッチンユニットは、流し台及び調理台を含み、かつ前記背壁部からダイニング側に小長さで突出するカウンター板を具えるとともに、前記収容状態において、前記折畳みテーブルの天板は、前記カウンター板の下方空間からはみ出すことなく該下方空間に収められる請求項１乃至６のいずれかに記載のキッチンの構造。
【発明の詳細な説明】
【技術分野】
【０００１】
本発明は、キッチンの構造に関し、詳しくはダイニング側のスペースを有効活用しうるキッチンの構造に関する。
【背景技術】
【０００２】
近年の住宅においては、キッチンとダイニングとの間に対面型のキッチンユニットが採用されることが多い（例えば、特許文献１参照）。このようなキッチンの構造は、例えばキッチン側にいる調理者と、ダイニング（ダイニングルームの略称であり、以下同様である。）側にいる家族とが対面できるため、開放感に溢れかつ家族間のコミュニケーションを活性化させるのに役立つ。
【０００３】
【特許文献１】特開２００８−２３７５０５号公報
【発明の開示】
【発明が解決しようとする課題】
【０００４】
ところで、ダイニングには、通常、食事を取るためのテーブルが常設される。しかしながら、このようなテーブルは、食事時以外でも常時スペースを占有する。このため、ダイニングを他の用途に有効に活用しづらいという問題がある。
【０００５】
本発明は、以上のような実状に鑑み案出されたもので、キッチンユニットのダイニング側に向く背壁部側に、該背壁部に沿って折りたたみ可能な天板を有する折畳みテーブルを設けることを基本として、ダイニングのスペースを有効活用することが可能なキッチンの構造を提供することを主たる目的としている。
【課題を解決するための手段】
【０００６】
本発明のうち請求項１記載の発明は、キッチンとダイニングとの間に設けられた対面型のキッチンユニットと、該キッチンユニットのダイニング側を向く背壁部側に設けられ、かつ、該背壁部に沿って折り畳まれた収容状態とダイニング側に張り出した水平状態との間を傾動可能な天板を有する折畳みテーブルとを含むことを特徴とする。
【０００７】
また請求項２記載の発明は、前記天板は、前記背壁部に沿ってのびる水平な第１の支持軸に回動自在に枢着されるとともに、前記天板には、該天板を前記水平状態に支える折り畳み可能な脚部材が設けられる請求項１記載のキッチンの構造である。
【０００８】
また請求項３記載の発明は、前記第１の支持軸は、前記背壁部の幅方向の一側縁の近傍で垂直にのびる第２の支持軸に回動可能に設けられることにより、前記天板は、水平面内で向き変え可能である請求項２記載のキッチンの構造である。
【０００９】
また請求項４記載の発明は、前記キッチンユニットは、前記背壁部と、この背壁部とで出隅コーナ部を形成する側壁部とを有し、前記第２の支持軸がこの出隅コーナ部の近傍に立設されることにより、前記天板は前記側壁部から側方に張り出す位置へと向き変え可能に設けられる請求項３記載のキッチンの構造である。
【００１０】
また請求項５記載の発明は、前記第１の支持軸は、高さ方向に調節可能に設けられるとともに、前記脚部材は、その長さが調節可能に設けられる請求項２ないし４のいずれかに記載のキッチンの構造である。
【００１１】
また請求項６記載の発明は、前記脚部材には、床面を転動する車輪が形成される請求項２ないし５の何れかに記載のキッチンの構造である。
【００１２】
また請求項７記載の発明は、前記キッチンユニットは、流し台及び調理台を含み、かつ前記背壁部からダイニング側に小長さで突出するカウンター板を具えるとともに、前記収容状態において、前記折畳みテーブルの天板は、前記カウンター板の下方空間からはみ出すことなく該下方空間に収められる請求項１乃至６のいずれかに記載のキッチンの構造である。
【発明の効果】
【００１３】
本発明のキッチンの構造は、キッチンユニットと、該キッチンユニットのダイニング側を向く背壁部側に、ダイニング側へ張り出した水平状態から、背壁部に沿って折り畳まれた収容状態へと傾動可能に設けられた天板を有する折畳みテーブルとを含む。このような折畳みテーブルは、天板を水平状態に展開することによって、ダイニングテーブルとして使用できる。また、食事時以外は、天板を収容状態に折り畳むことにより、ダイニングに広いスペースを解放できる。従って、ダイニングのスペースを有効活用できる。
【発明を実施するための最良の形態】
【００１４】
以下、本発明の実施の一形態が図面に基づき説明される。
図１には、本実施形態のキッチンの構造を適用した家屋の間取り図、図２には、キッチンユニットの斜視図、図３には、その側面図がそれぞれ示される。
【００１５】
図１ないし３に示されるように、本実施形態のキッチンの構造では、調理空間であるキッチン２と食事を取る空間であるダイニング３との間に設けられた対面型のキッチンユニット１１と、該キッチンユニット１１のダイニング３側を向く背壁部２１側に設けられた折畳みテーブル１２とを含んで構成される。
【００１６】
対面型のキッチンユニット１１とは、その上部に、キッチン２とダイニング３とが連通する空間が形成されたキッチンユニットを意味する。このようなキッチンユニット１１は、キッチン２での調理者とダイニング３側にいる家族とを対面させ、家族間のコミュニケーションを活性化させるのに役立つ。
【００１７】
本実施形態のキッチンユニット１１は、壁面４から延設された半島側（カウンター型）である。ただし、キッチンユニット１１は、壁面４から完全に独立したいわゆる島型（図示せず）であっても良い。
【００１８】
図２に示されるように、キッチンユニット１１は、床面５から上方へのびる基部１３と、該基部１３の上面に載置される調理台１４とを含む。
【００１９】
前記基部１３は、ダイニング３側で床面５から垂直にのびる背壁部２１と、該背壁部２１とで出隅コーナ部２３を形成するとともに床面５から垂直にのびる側壁部２２とを含み、本実施形態では略箱体状で構成される。
【００２０】
前記調理台１４には、例えば、流し台１５や電磁調理器等の加熱調理機１６等が少なくとも設けられる。また、調理台１４は、前記背壁部２１からダイニング３側へ小長さＬ（例えば１５０〜３００mm程度）で突出するカウンター部１７が形成される。なお、カウンター部１７で簡易な食事を取るために、キッチンユニット１１の周囲に移動容易な椅子６が適宜配されても良い。
【００２１】
図４には、折畳みテーブル１２の天板２６を仮想線で示したキッチンユニットの要部斜視図が示される。図２又は図４に示されるように、本実施形態の折畳みテーブル１２は、略矩形状に形成された天板２６を有する。本実施形態において、天板２６は、背壁部２１に沿って水平にのびる第１の支持軸２７に蝶番部３４を介して傾動自在に枢着される。蝶番部３４は、第１の支持軸２７に回動自在に装着された軸受部３４Ａと、該軸受部３４Ａから板状にのび、かつ、天板２６の裏面に固着された取付片３４Ｂとを含む。なお、符号３１は第１の支持軸２７を覆うカバー材である。
【００２２】
このような天板２６は、背壁部２１に沿って（背壁部２１と実質的に平行）に折り畳まれた収容状態と、図５に示されるように、そこから上向きに跳ね上げてダイニング３側に張り出した水平状態との間を傾動可能に設けられる。従って、本実施形態の折畳みテーブル１２は、天板２６を水平状態に展開することにより、ダイニングテーブルとして利用できる。これは、例えば、ダイニング３から常設テーブルをなくすのに役立つ。なお、折畳みテーブル１２は、ダイニングテーブルとしてではなく、食事の配膳又は後片付け時の作業台等として利用することもできる。
【００２３】
また、食事時以外は、図２ないし３に示したように、天板２６を水平状態から下方に傾動させて折り畳んだ収容状態とすることにより、ダイニング３に広いスペースを提供することができる。従って、ダイニング３のスペースを有効に活用することができる。
【００２４】
また、図３に示されるように、本実施形態の折畳みテーブル１２の天板２６は、収容状態においてカウンター部１７の下方空間２４からはみ出すことなく該下方空間２４内に収められる。これにより、キッチンユニット１１の大型化を防止し、かつダイニング３側により広い空間を解放するのに役立つ。
【００２５】
前記天板２６は、慣例に従い、木質材、金属、樹脂又はこれらの複合材等、種々の材料を用いて形成できる。
【００２６】
また、折畳みテーブル１２には、図４に示されるように、天板２６を水平状態に支えるために、例えば脚部材２９が設けられるのが望ましい。これにより、食事時等や配膳時など、天板２６に垂直荷重が作用したときでもその位置を安定して保持できる。
【００２７】
脚部材２９は、天板２６の裏面（前記収納状態において、天板２６のキッチン２側を向く面）に、折畳み蝶番４６等を介して折畳み可能に固着されるのが望ましい。このような脚部材２９は、天板２６の裏面に沿って折り畳まれることにより、折畳みテーブル１２を小型化し、前記下方空間２４内にコンパクトに収容できる。しかも、収容状態において、脚部材２９は、天板２６で覆われることにより、外部から見えない。従って、キッチンユニット１１の見栄えが向上する。
【００２８】
なお、折畳み蝶番４６には、脚部材２９の回動を抑制するロック手段（図示省略）が設けられても良い。また、天板２６を水平状態に保持するために、脚部材２９に変えて、他のロック手段を用いても良い。
【００２９】
図４及び図６に示されるように、天板２６を支持する第１の支持軸２７は、その一端側に、垂直方向にのびるパイプ状の軸受部３２が一体に設けられる。該軸受部３２は、キッチンユニット１１近傍で垂直にのびる第２の支持軸２８に回転可能に片持ち状で支持される。
【００３０】
前記第２の支持軸２８は、例えばキッチンユニット１１の背壁部２１の幅方向の一側縁の近傍、より具体的にはキッチンユニット１１の出隅コーナ部２３の近傍で固定具３８を用いて床面５から立設されるが、例えば背壁部２１に固着されても良い。
【００３１】
第２の支持軸２８は、例えば、床面５に固定された本体２８ａと、その上部に連設されかつ第１の支持軸２７の前記軸受部３２が遊嵌挿入される小径部２８ｂとを含む。なお、小径部２８ｂの上部には、軸受部３２を抜け止めする蓋部４０が固着される。これにより、第１の支持軸２７は、第２の支持軸２８の回りに回動可能に支持される。
【００３２】
このような折畳みテーブル１２では、第１の支持軸２７を垂直な第２の支持軸２８の回りで回動させることによって、図７及び図８に示されるように、同一の水平面内で天板２６の向きを変えることができる。
【００３３】
例えば、図７及び図８の態様は、それぞれ第１の支持軸２７を背壁部２１から右回りに約９０゜及び１８０゜回転させた状態を示す。このように、第１の支持軸２７を背壁部２１から離間させることにより、該第１の支持軸２７側にも着座スペースを作ることができ、ホームパーティ時など多人数で利用することができる。また、第２の支持軸２８がキッチンユニット１１の出隅コーナ部２３の近傍に立設されているため、天板２６をキッチンユニット１１の側壁部２２側へ回転させることにより、図７及び図８のように、折畳みテーブル１２の天板２６を側壁部２２よりも側方に張り出す位置へと向き変えできる。
【００３４】
脚部材２９の下端には、床面５を転動する車輪４９を設けておくことが望ましい。これにより、折畳みテーブル１２は、天板２６を水平状態にしたままスムーズに床面５を転動させて回転移動させることができる。また、車輪４９は、首振り自在のキャスター輪やボールキャスター等を好適に採用できる。なお、車輪４９には、床面５との転動を抑制するストッパー（図示省略）を設けることもできる。これにより、折畳みテーブル１２を任意の位置に安定して設置できる。
【００３５】
図９には、本発明の他の実施形態を示す。この実施形態では、第１の支持軸２７が、高さ方向に調節可能に設けられる。この機能は、例えば第１の支持軸２７を片持ち状に支持する第２の支持軸２８の高さを調節可能とすることによって容易に実現される。このような実施形態では、折畳みテーブル１２の天板の高さＨを使用者の身長に合わせて調節することができるので、使い勝手を高めることができる。
【００３６】
本実施形態の第２の支持軸２８は、前記本体２８ａと床面５との間に上下方向に伸縮可能なガスシリンダ３７を介在させれば良い。ガスシリンダ３７は、ペダル４１を踏み下げることによって、第２の支持軸２８を好みの高さに伸縮させることができ、ひいては天板２６の高さＨを調節することができる。
【００３７】
また、このような実施形態では、天板２６に設けられた脚部材２９も、その長さを調節可能に設けられることが望ましい。例えば、各脚部材２９は、折畳み蝶番４６に固着された円柱状の第１の脚部２９ａと、この第１の脚部２９ａとスライド可能に嵌合するパイプ状の第２の脚部２９ｂと、第２の脚部２９ｂと第１の脚部２９ａとの相対位置を固定しうる止め金具４８と含んで構成される。止め金具４８は、例えばネジ等によって形成できる。従って、天板２６の高さＨに合わせて脚部材２９の長さを変えることにより、天板２６の水平状態の姿勢をより安定させることができる。
【００３８】
図１０〜図１２には、本発明の他の実施形態が示される。
図１０には、他の実施形態のキッチンユニットの要部斜視図、図１１には、その側面図がそれぞれ示される。
【００３９】
本実施形態の折畳みテーブル１２には、略矩形状に形成された座板５２を有する折畳み椅子５１が形成される。
【００４０】
本実施形態において、座板５２は、背壁部２１に沿って平行にのびる第３の支持軸５３に蝶番部５５を介して傾動自在に枢着される。第３の支持軸５３は、前実施形態より垂直方向の長さが大きい第１の支持軸２７の軸受部３２から、該第１の支持軸２７の下方かつキッチン２側に形成される。また、第３の支持軸５３は、壁面４側の端部で垂直方向にのびる連結部５６によって、第１の支持軸２７と連結される。これにより、第３の支持軸５３は、第１の支持軸２７とともに、第２の支持軸２８の回りに回動可能に支持される。蝶番部５５は、天板２６に設けられる蝶番部３４と実質的に同一に形成されている。なお、符合６０は、第３の支持軸５３を覆うカバー材である。
【００４１】
このような座板５２は、背壁部２１に沿って折り畳まれた収容状態と、図１２に示されるように、第１の支持軸２７及び第３の支持軸５３を背壁部２１から右回りに回転させた状態において、天板２６と反対向きに張り出した水平状態との間を傾動可能に設けられる。従って、本実施形態の折畳み椅子５１は、座板５２を水平状態に展開することによって、ダイニングテーブル用の椅子として使用できる。
【００４２】
図１１に示されるように、折畳み椅子５１は、収納状態において、折畳みテーブル１２よりもキッチン２側の下方空間２４に収納される。従って、折畳み椅子５１は、下方空間２４からはみ出すことなく、ダイニング３側により広い空間を開放するのに役立つ。
【００４３】
また、図１０に示されるように、折畳み椅子５１には、座板５２を水平状態に支えるために、椅子脚材５４が設けられることが好ましい。椅子脚材５４は、座板５２の裏面（前記収納状態において、座板５２のダイニング３側を向く面）に、折畳み蝶番５７を介して折畳み可能に固着されるのが望ましい。椅子脚材５４は、収納状態において、天板２６で覆われることによりダイニング３側から見えないため、キッチンユニット１１の見栄えが向上する。また、椅子脚材５４の先端には、車輪５９が設けられているので、座板５２を水平状態にしたままスムーズに回転移動できる。なお、椅子脚材５４は、図９で示される脚部材２９のように、長さ調節できるように形成されてもよい。これにより、椅子脚材５４は、天板２６とともに座板５２の高さを調節できる。
【００４４】
以上、本発明の特に好ましい実施形態について詳述したが、本発明は図示の実施形態に限定されることなく、種々の態様に変形して実施しうる。例えば、上記実施形態では、天板２６が背壁部２１から離間して設けられる第１の支持軸２７に回動自在に枢着されているものが示されているが、このような実施形態に限定されるわけではない。例えば、天板２６は、背壁部２１に蝶番等を介して回動自在に枢着されてもよい。このような実施形態の折畳みテーブル１２は、その構造をより簡素化しうるので、製造コストを低減できる点で好ましい。
【図面の簡単な説明】
【００４５】
【図１】本実施形態のキッチンの構造を適用した家屋の間取り図である。
【図２】キッチンユニットの斜視図である。
【図３】図２の側面図である。
【図４】折畳みテーブルの天板を仮想線で示したキッチンユニットの要部斜視図である。
【図５】天板が水平状態に展開された状態を示す斜視図である。
【図６】第１の支持軸の軸受部を拡大して示す断面図である。
【図７】第１の支持軸を背壁部から右回りに約９０゜に回転させた状態を示す斜視図である。
【図８】第１の支持軸を背壁部から右回りに約１８０゜に回転させた状態を示す斜視図である。
【図９】本発明の他の実施形態のキッチンユニットを示す要部斜視図である。
【図１０】本発明の他の実施形態のキッチンユニットを示す要部斜視図である。
【図１１】図１０の側面図である。
【図１２】折畳み椅子を展開した状態を示す斜視図である。
【符号の説明】
【００４６】
２    キッチン
３    ダイニング
１１  キッチンユニット
１２  折畳みテーブル
２１  背壁部
２６  天板
【図１】
2010131208.tif 000003
【図２】
2010131208.tif 000004
【図３】
2010131208.tif 000005
【図４】
2010131208.tif 000006
【図５】
2010131208.tif 000007
【図６】
2010131208.tif 000008
【図７】
2010131208.tif 000009
【図８】
2010131208.tif 000010
【図９】
2010131208.tif 000011
【図１０】
2010131208.tif 000012
【図１１】
2010131208.tif 000013
【図１２】
2010131208.tif 000014